(57)【要約】【課題】構成が簡素化されて保守が容易とされ、しかもランニングコストも低廉な空気清浄化装置を提供する。【解決手段】本発明の空気清浄化装置Ａは、浄化ユニット１０を有する収納ケース２０と、前記収納ケース２０に対象空気を送り込む送風機３０と、前記浄化ユニット１０に洗浄液を循環送給する洗浄液循環機構４０と、洗浄液交換機構５０と、空気中の有害成分を検出するセンサ６０と、制御装置７０とを備え、前記浄化ユニット１０ががらり状体とされ、その空気進入側に洗浄液の水幕Ｆを形成する散水ノズル１３が配設され、また収納ケース２０の空気送出口２２に水切シート２３が配設されてなるものである。【選択図】  図１
2004347165.tif 000002
【特許請求の範囲】
【請求項１】
浄化ユニットを有する収納ケースと、前記収納ケースに対象空気を送り込む送風手段と、前記浄化ユニットに洗浄液を循環送給する洗浄液循環機構と、空気中の有害成分を検出するセンサと、制御装置とを備え、
前記浄化ユニットががらり状体とされ、その空気進入側に洗浄液の水幕を形成する散水ノズルが配設されてなる
ことを特徴とする空気清浄化装置。
【請求項２】
洗浄液交換機構を備えてなることを特徴とする請求項１記載の空気清浄化装置。
【請求項３】
洗浄液に滅菌剤が混入されていることを特徴とする請求項１記載の空気清浄化装置。
【請求項４】
収納ケースの空気送出口に水切シートが配設されてなることを特徴とする請求項１記載の空気清浄化装置。
【請求項５】
水切シートにマイナスイオンを発生する物質が包含されてなることを特徴とする請求項１記載の空気清浄化装置。
【請求項６】
散水ノズルが最上段の羽板の上端部にのみ配設されてなることを特徴とする請求項１記載の空気清浄化装置。
【発明の詳細な説明】
【０００１】
【発明の属する技術分野】
本発明は、空気清浄化装置に関する。さらに詳しくは、空気中の各種不要物を簡易に除去するための空気清浄化装置に関する。
【０００２】
【従来の技術】
従来より、家庭、オフィス、工場などの室内空気を清浄にする空気清浄化装置として、合成繊維などからなるフィルタに空気を通すようにして、埃、タバコの煙や脂などの空中浮遊物を取り除くようにした空気清浄化装置が知られている。
【０００３】
ところが、このような構成の空気清浄化装置（以下、従来型装置という）は、フィルタの目よりも大きい空中浮遊物を除去することはできるが、フィルタの目よりも小さい浮遊物を有効に除去することはできない。その上、ガス状の有害成分については、全く除去することができないといった問題がある。
【０００４】
また、一般的に、空気清浄化装置は、定期的にフィルタを清掃したり交換したりする保守を実施する必要がある。しかるに、従来型装置においてはフィルタの清掃、交換の際に埃等の飛散を防止するのが困難であるため、保守はそれほど容易ではなく、むしろかなり煩雑な作業となるのが通常である。
【０００５】
このため、フィルタをカセット内部に収容し、これを交換するカートリッジ式とするような対応が考えられ、実施されている。しかしながら、この場合にも埃等の飛散を完全に防止することは困難であるとともに、フィルタの単価が高くなり、コストが増大するといった問題がある。
【０００６】
【発明が解決しようとする課題】
本発明はかかる従来技術の課題に鑑みなされたものであって、構成が簡素化されて保守が容易とされ、しかもランニングコストも低廉な空気清浄化装置を提供することを目的としとている。
【０００７】
【課題を解決するための手段】
本発明の空気清浄化装置は、浄化ユニットを有する収納ケースと、前記収納ケースに対象空気を送り込む送風手段と、前記浄化ユニットに洗浄液を循環送給する洗浄液循環機構と、空気中の有害成分を検出するセンサと、制御装置とを備え、前記浄化ユニットががらり状体とされ、その空気進入側に洗浄液の水幕を形成する散水ノズルが配設されてなることを特徴とする。
【０００８】
本発明の空気清浄化装置においては、洗浄液交換機構を備えてなるのが好ましい。
【０００９】
また、本発明の空気清浄化装置においては、洗浄液に滅菌剤が混入されているのが好ましい。
【００１０】
さらに、本発明の空気清浄化装置においては、収納ケースの空気送出口に水切シートが配設されてなるのが好ましい。その場合、水切シートにマイナスイオンを発生する物質が包含されてなるのがさらに好ましい。
【００１１】
さらに、本発明の空気清浄化装置においては、散水ノズルが最上段の羽板の上端部にのみ配設されていてもよい。
【００１２】
【作用】
本発明の空気清浄化装置は、前記の如く構成されているので、構成が簡素化されて保守が容易であるにもかかわらず、空気中の有害成分を確実に除去できる。
【００１３】
また、本発明の空気清浄化装置は、前記の如く構成されているので、フィルタなどの交換の必要がなくランニングコストが低減される。
【００１４】
【発明の実施の形態】
以下、添付図面を参照しながら本発明を実施形態に基づいて説明するが、本発明はかかる実施形態のみに限定されるものではない。
【００１５】
実施形態１
図１に、本発明の実施形態１に係る空気清浄化装置（以下、単に装置という）を模式的に示す。
【００１６】
装置Ａは、空気中の埃、タバコの煙や脂、アレルギを誘発するような各種ダストおよび花粉などの有害や不要な粒子状の浮遊物を除去するとともに、タバコの煙中の有毒成分、建材から放出されるホルムアルデヒドなどの有害成分を除去するよう空気を洗浄し、清浄化する装置とされる。
【００１７】
装置Ａは、具体的には、洗浄液（水、または水に滅菌剤や芳香剤などを混入した混合液）の水幕Ｆを形成して浄化する浄化ユニット１０と、この浄化ユニット１０を収納する収納ケース２０と、収納ケース２０に清浄化の対象となる室内空気（以下、対象空気という）を送り込む送風機（送風手段）３０と、空気洗浄後の洗浄液を回収して再び水幕Ｆとするように循環する洗浄液循環機構４０と、対象空気を洗浄し汚れた洗浄液を漸次廃棄するようにして新しい洗浄液と交換する洗浄液交換機構５０と、前掲したような有害物質や有害成分（以下、有害成分と総称する）の室内空気中の量（濃度）を検出するセンサ６０と、センサ６０の検出結果に応じて送風機３０の起動および停止の切り替えなどを制御する制御装置７０とを主要構成要素として備えてなる。
【００１８】
浄化ユニット１０は、図１に示すように、所定サイズとされた長方形状枠体１１に所定角度とされた羽板１２が所要数（図示例では７枚）所定間隔に配設されてなるがらり状体とされ、各羽板１２の上端部には洗浄液を散水する散水ノズル１３が噴射孔（明瞭には図示されていない）を下方に向けて幅方向に設けられている。
【００１９】
収納ケース２０はその幅が浄化ユニット１０を収納可能に調整されてなる幅広直方体状の箱体とされ、図１に示すように、その内部に浄化ユニット１０が散水ノズル１３が設けられた側が裏面となるようにして若干の傾斜を設けてその幅方向を一致させて配設されている。収納ケース２０の浄化ユニット１０の裏面と対向する面の下部には、送風機３０からの室内空気を取り入れるための空気取入口２１が設けられる一方、収納ケース２０上面の浄化ユニット１０の表面側に位置する個所には洗浄後の空気（浄化空気）を送出する空気送出口２２が設けられている。つまり、浄化ユニット１０の散水ノズル１３が設けられた裏面側は、空気進入側とされる。
【００２０】
ここで、空気送出口２２の開口部直前には、空気送出口２２から送出される空気中の液滴（ミスト）を分離する、例えば不織布からなる水切シート２３が設けられるものとされる。また、この水切シート２３には、マイナスイオンを放出する物質、例えば備長炭などが包含させられていてもよい。
【００２１】
また、収納ケース２０底面には開口を浄化ユニット１０の表面側に位置させて洗浄液貯留部（以下、単に貯留部という）２４が設けられている。
【００２２】
送風機３０は例えばファンとされ、対象空気を空気取入口２１を通して収納ケース２０内に送り込むものとされる。収納ケース２０内に送り込まれた対象空気は、送風機３０の送風風圧により浄化ユニット１０を通過して空気送出口２２まで送られる。ここで、送風機３０は洗浄液が浸水しないよう空気取入口２１よりも上方に配設するのが好ましい。
【００２３】
洗浄液循環機構４０は、前掲の貯留部２４と、貯留部２４に貯まった洗浄液を送給する洗浄液送給配管（以下、送給配管という）４１と、送給配管４１に介装された循環ポンプ（洗浄液循環手段）４２と、送給配管４１と前掲の散水ノズル１３とを接続する接続管４３とから構成される。
【００２４】
洗浄液交換機構５０は、貯留部２４内の液位を検知する例えばフロートを利用した液位検知器５１と、液位検知器５１により検知される液位が所定の液位（以下、注水基準液位という）を下回ったときに新たな洗浄液（水）を追加するように注水する注水装置５２と、貯留部２４内の液位が所定の液位（以下、排水基準液位という）を上回ったときにオーバーフローさせるようにして洗浄液を排水する排水装置５３とから構成される。ここで、排水基準液位は注水基準液位よりも高いものとされる。
【００２５】
センサ６０は、有害成分を検出するようにされた例えばセラミックガスセンサとされる。このセンサ６０は、室内の適宜個所例えば天井付近に設置される。
【００２６】
制御装置７０は、センサ６０の検出信号に基づいて送風機３０のモータ３１および循環ポンプ４２のモータ４２ａの起動・停止を制御するものとされる。例えば、室内空気中の有害成分の量が所定値以上のときに、送風機３０のモータ３１および循環ポンプ４２のモータ４２ａを起動するとともに、室内空気中の有害成分の量が所定値以下のときに、送風機３０のモータ３１および循環ポンプ４２のモータ４２ａを停止する。
【００２７】
次に、かかる構成とされた装置Ａによる室内空気の浄化について説明する。
【００２８】
（１）センサ６０よりの室内空気中の有害成分が所定値以上であると検出されると、その検出信号に基づいて制御装置７０は循環ポンプ４２を起動するともに、それから所定時間経過後例えば１０秒後に送風機３０を起動する。これにより、浄化ユニット１０の散水ノズル１３から洗浄液が噴射され、その噴射された洗浄液が羽板１２の下端から落下して水幕Ｆが形成されるとともに、その水幕Ｆが形成された収納ケース２０内への送風が開始される。
【００２９】
（２）収納ケース２０内に送風された対象空気は、浄化ユニット１０を裏面側から表面側に通過して空気送出口２２まで送気される。その際、対象空気は表面側に形成されている水幕Ｆにより洗浄されて浄化空気とされる。
【００３０】
（３）空気送出口２２まで送気された浄化空気は、空気送出口２２に配設された水切シート２３により随伴しているミストが除去されて室内に給気される。
【００３１】
（４）貯留部２４の水位が注水基準水位を下回ると、注水装置５２により新たな洗浄液が所定量注水され、貯留部２４の水位が注水基準水位以上に復帰する。
【００３２】
（５）貯留部２４の水位が排水基準水位を上回ると、貯留部２４内上層の洗浄液が排水装置５３からオーバーフローして水位が排水基準水位に復帰する。
【００３３】
（６）センサ６０よりの室内空気中の有害成分が所定値以下であると検出されると、その検出信号に基づいて制御装置７０は送風機３０を停止するともに、それから所定時間経過後例えば１０秒後に循環ポンプ４２を停止する。これにより、収納ケース２０内への送風が停止されるとともに、浄化ユニット１０による水幕Ｆの形成も停止する。
【００３４】
このように、実施形態１によれば、がらり状とされた浄化ユニット１０の表面側（空気出口側）に洗浄液による水幕を形成し、対象空気を浄化ユニット１０の裏面側から表面側に通過させて対象空気を洗浄しているので、空気中の有害または不要な浮遊物や成分を粒子の大きさに拘わらず確実に除去して室内空気を浄化することが可能となる。また、装置Ａが前記構成とされていることにより、保守が容易となるとともに装置Ａを小型化することが容易となり、例えば一般家庭向けの空気清浄機としての適用が可能となる。
【００３５】
実施形態２
図２に、本発明の実施形態２に係る空気清浄化装置（以下、単に装置という）を模式的に示す。実施形態２に係る装置Ａ１は実施形態１に係る装置Ａを改変してなるものであるので、その改変された部分についてのみ説明する。
【００３６】
装置Ａ１は、図２に示すように、浄化ユニット１０における散水ノズル１３が最上段の羽板１２の上端部にのみ配設され、その散水ノズル１３に送給配管４１が直接接続されてなるものとされる。そして、この散水ノズル１３から噴射された洗浄液は最上段の羽板１２の下端から水幕Ｆとなりながらその下の羽板１２に落下する。この下の羽板１２に落下した洗浄液は、同様にして水幕Ｆとなりながらその下の羽板１２に落下する。このようにして、散水ノズル１３から噴射された洗浄液は最下段の羽板１２に到達して水幕Ｆとなりながら貯留部２４に戻る。
【００３７】
このように、実施形態２によれば、構成の簡素化を図りながら実施形態１と同様に室内空気の浄化がなし得る。
【００３８】
以上、本発明を実施形態に基づいて説明してきたが、本発明の適用は一般家庭に限定されるものではなく、例えば地下駐車場およびトンネルなどの換気に困難を伴う施設、半導体製造施設や各種精密工場などの高度の空気清浄性が要求される施設、幹線道路沿いの民家やパチンコ店などの空気汚染度の高い施設、ならびに病院、美術館、学校といった清浄な空気が望まれる施設に設置される空気清浄化装置として、これら施設内部の空気を清浄化する場合に適用することが可能である外、各種施設に送り込まれる空気を清浄化する場合、例えばオフィスビルの空調設備の空気取り入れ部分でオフィス内部に送り込まれる空気を清浄化する場合に適用することも可能である。
【００３９】
また、特定の施設から外部に放出される空気を清浄化する場合、例えば廃棄物焼却施設の排気ガス清浄化処理の最終段階で、大気中に放出される排ガスを清浄化する場合に適用することも可能である。
【００４０】
【発明の効果】
以上詳述したように、本発明によれば、空気清浄化装置の構成を簡素化して保守を容易にしながら、空気中の有害成分を確実に除去できるという優れた効果を奏する。また、本発明によれば、フィルタなどの交換の必要がないので、ランニングコストが低減されるという優れた効果も得られる。
【００４１】
また、洗浄液に滅菌剤が混入されている本発明の好ましい形態によれば、室内空気中の雑菌も同時に除去されるという優れた効果が得られる。
【図面の簡単な説明】
【図１】本発明の実施形態１に係る空気清浄化装置の概略図である。
【図２】本発明の実施形態２に係る空気清浄化装置の概略図である。
【符号の説明】
１０      浄化ユニット
１１      長方形状枠体
１２      羽板
１３      散水ノズル
２０      収納ケース
２１      空気取入口
２２      空気送出口
２３      水切シート
２４      貯留部
３０      送風機
３１      モータ
４０      洗浄液循環機構
４１      送給配管
４２      循環ポンプ
４３      接続管
５０      洗浄液交換機構
５１      水位検出器
５２      注水装置
５３      排水装置
６０      センサ
７０      制御装置
Ａ      空気清浄化装置
Ｆ      水幕
【図１】
2004347165.tif 000003
【図２】
2004347165.tif 000004